(57)【要約】【課題】  極めて簡便な構成でありながらも、長期間恒常的に使用する主商材について、その購買意欲の向上のみならず積極的に使用を促進させることができ、また、使用の際の安全性及び衛生面を十分に考慮した上で、物品自体の娯楽も十分に享受することができる日用品を提供する。【解決手段】  マグカップ１は、飲料を収容するマグカップ本体１１と、人形等の所定の装飾物１２と、この装飾物１２を保持する装飾物保持部材１３とを備える。マグカップ１においては、マグカップ本体１１の外観を形成する外面の一部に、装飾物１２を着脱自在とするとともに当該装飾物１２を外部に露呈させた状態で装着する凹状の装飾物収納部１４が形成され、この装飾物収納部１４には、装飾物１２を保持する装飾物保持部材１３が着脱自在に装着される。【選択図】  図１
2005319016.tif 000002
【特許請求の範囲】
【請求項１】
日常生活において使用される日用品であって、
本体の外観を形成する外面の一部に、所定の装飾物を着脱自在とするとともに当該装飾物を外部に露呈させた状態で装着する凹状の装飾物収納部が形成され、
上記装飾物収納部には、上記装飾物を保持する装飾物保持部材が着脱自在に装着されること
を特徴とする日用品。
【請求項２】
上記装飾物保持部材は、上記装飾物を固設する滑り止め手段を有すること
を特徴とする請求項１記載の日用品。
【請求項３】
上記装飾物保持部材は、シリコン製であること
を特徴とする請求項２記載の日用品。
【請求項４】
上記装飾物収納部は、上記外面に複数形成されていること
を特徴とする請求項１乃至請求項３のうちいずれか１項記載の日用品。
【請求項５】
上記装飾物は、所定の造形物を模写したマスコットであること
を特徴とする請求項１乃至請求項４のうちいずれか１項記載の日用品。
【請求項６】
上記本体は、陶磁器製、ガラス製、金属製、プラスチック製、及び／又は木製であること
を特徴とする請求項１乃至請求項５のうちいずれか１項記載の日用品。
【請求項７】
飲食物の摂取に供される食器であること
を特徴とする請求項１乃至請求項６のうちいずれか１項記載の日用品。
【請求項８】
上記食器は、マグカップ、又は皿であること
を特徴とする請求項７記載の日用品。
【請求項９】
喫煙用具であること
を特徴とする請求項１乃至請求項６のうちいずれか１項記載の日用品。
【請求項１０】
上記喫煙用具は、灰皿であること
を特徴とする請求項９記載の日用品。
【請求項１１】
コンピュータ本体、又はコンピュータ周辺機器であること
を特徴とする請求項１乃至請求項６のうちいずれか１項記載の日用品。
【請求項１２】
日常生活において使用される日用品であって、
所定の装飾物と、
外観を形成する外面の一部に、上記装飾物を着脱自在とするとともに当該装飾物を外部に露呈させた状態で装着する凹状の装飾物収納部が形成された本体と、
上記装飾物収納部に着脱自在に装着され、上記装飾物を保持する装飾物保持部材とを備えること
を特徴とする日用品。
【発明の詳細な説明】
【技術分野】
【０００１】
本発明は、例えば食器をはじめとする日常生活において使用される日用品に関する。
【背景技術】
【０００２】
例えば食器といった日常生活において使用されることを目的とする日用品を販売するにあたっては、需用者の購買意欲を喚起するために、主商材とは別の物品を景品等として提供することにより、付加価値を与えることが多い。特に、需用者の年齢層が低い場合には、玩具等を景品として提供することにより、当該需用者の購買意欲が向上することが知られている。
【０００３】
このような主商材とともに物品を提供する試みが具体化された技術としては、例えば特許文献１及び特許文献２等に記載されたものがある。
【０００４】
【特許文献１】特開平８−４８３３８号公報
【特許文献２】特開平８−２７５８１８号公報
【０００５】
具体的には、特許文献１には、本来の商品収納室の他に、容器本体の外面の一部又は全部を覆うカバーを当該容器に取り付け、容器本体の外面とカバーの内面とによって物品（景品）を付加的に収納するための副収納室が形成された容器が開示されている。特に、この容器は、容器本体の外面に副収納室の一部又は全部を形成する凹面が形成されており、その凹面部に物品を配してカバーを取り付けることにより、当該容器と物品とが一体として提供されるものである。そして、この容器を用いることにより、商品に物品（景品）を付加して販売する場合に、コストが安価で済み、需要者に視覚的興味を与え、コンパクトで、物品（景品）の出し入れが可能であり、容器本体の一部又は全部を覆うカバーを取り付けることで強度を高めることができるとしている。
【０００６】
また、特許文献２には、容器本体の胴部の一側面に、人形を着脱自在に収納して固定する人形配設用凹部を形成された化粧料容器が開示されている。特に、この化粧料容器は、人形配設用凹部の奥面と底面とを人形の一部を形成する台座と係合させることにより、当該化粧料容器と人形とが一体として提供されるものである。そして、この化粧料容器を用いることにより、内容物を使用中に人形を見て楽しむことができ、内容物を使い切る前に人形が破損することなく、また、内容物を使い切ったのちも人形を見て楽しむことができるとしている。
【発明の開示】
【発明が解決しようとする課題】
【０００７】
ところで、上述した特許文献１及び特許文献２に記載された技術は、物品があくまでも景品として位置付けられたものであり、主商材とともに何らかの機能的な使用を想定したものではなかった。そのため、これら技術は、主商材とともに物品の外傷を確実に保護し、物品の適切な使用形態を積極的に考慮したものではなかった。
【０００８】
例えば、特許文献１に記載された技術においては、需要者が物品を取り出す際、必ず容器本体の外面の一部又は全部と物品とを覆うカバーを外さなければならないために、需要者に余計な手間をかけるという問題があった。また、この技術においては、容器本体の外面の凹部に単に物品を配してカバーを取り付けた構成とされることから、物品が副収納室内で動いてしまい、当該物品の安定性に欠けるという問題があった。
【０００９】
また、上述した特許文献２に記載された技術においては、予め人形と台座とが一体に構成されていることから、人形本体のみを使用したいという需用者の要求に応えるものではなく、魅力に欠けるという問題があった。
【００１０】
さらに、これら特許文献１及び特許文献２に記載された技術においては、あくまでも消耗品を想定していることから、ある程度の長期間恒常的に使用する主商材に転用することは困難である。例えば、これら技術においては、使用に応じて、容器本体と物品との結合部分付近や人形と台座との結合部分付近に汚れが付着した場合であっても、この汚れを適切に除去することは何ら想定されておらず、衛生面の問題で、長期間恒常的に使用する主商材に転用することはできない。
【００１１】
本発明は、このような実情に鑑みてなされたものであり、極めて簡便な構成でありながらも、長期間恒常的に使用する主商材について、その購買意欲の向上のみならず積極的に使用を促進させることができ、また、使用の際の安全性及び衛生面を十分に考慮した上で、物品自体の娯楽も十分に享受することができる日用品を提供することを目的とする。
【課題を解決するための手段】
【００１２】
上述した目的を達成する本発明にかかる日用品は、日常生活において使用される日用品であって、本体の外観を形成する外面の一部に、所定の装飾物を着脱自在とするとともに当該装飾物を外部に露呈させた状態で装着する凹状の装飾物収納部が形成され、上記装飾物収納部には、上記装飾物を保持する装飾物保持部材が着脱自在に装着されることを特徴としている。
【００１３】
このような本発明にかかる日用品においては、所定の装飾物が外部に露呈させた状態で装飾物保持部材とともに本体に着脱自在とされる。
【００１４】
ここで、上記装飾物保持部材は、本体に装着された装飾物が容易に離脱しないように、当該装飾物を固設する滑り止め手段を有するのが望ましい。具体的には、この滑り止め手段としては、装飾物保持部材を表面の摩擦係数が大きいシリコン製とするのが望ましい。
【００１５】
また、上記装飾物収納部は、上記外面に複数形成されてもよい。
【００１６】
なお、上記装飾物は、所定の造形物を模写したマスコットであるのが望ましい。また、上記本体は、陶磁器製、ガラス製、金属製、プラスチック製、及び／又は木製のものを用いることができる。
【００１７】
さらに、本発明にかかる日用品は、飲食物の摂取に供される食器に適用することができ、特に、マグカップ、又は皿に適用して好適である。また、本発明にかかる日用品は、喫煙用具にも適用することができ、特に、灰皿に適用して好適である。さらに、本発明にかかる日用品は、コンピュータ本体、又はコンピュータ周辺機器にも適用することができる。
【００１８】
また、上述した目的を達成する本発明にかかる日用品は、日常生活において使用される日用品であって、所定の装飾物と、外観を形成する外面の一部に、上記装飾物を着脱自在とするとともに当該装飾物を外部に露呈させた状態で装着する凹状の装飾物収納部が形成された本体と、上記装飾物収納部に着脱自在に装着され、上記装飾物を保持する装飾物保持部材とを備えることを特徴としている。
【００１９】
このような本発明にかかる日用品においては、所定の装飾物が外部に露呈させた状態で装飾物保持部材とともに本体に着脱自在とされる。
【発明の効果】
【００２０】
本発明においては、本体に立体的な装飾物を着脱自在に装着することにより、特に、年齢層が低い使用者にとって、使用に飽きを生じさせることがなくなり、使用に際する教育に適した商材として提供することができ、極めて簡便な構成でありながらも、長期間恒常的に使用する主商材として高い付加価値を提供することができ、その購買意欲の向上のみならず積極的に使用を促進させることができる。
【００２１】
また、本発明においては、装飾物そのものを単独商材として利用可能な玩具として取り扱うことができることから、使用者が嗜好に応じて本体から当該装飾物を取り外して遊戯に用いることができ、さらには、装飾物収納部に収納し得る大きさである他の装飾物と自在に交換することができ、高い娯楽性を提供することができる。
【００２２】
さらに、本発明においては、本体と装飾物のみならず、装飾物保持部材も着脱可能に構成されていることから、これら本体、装飾物、及び装飾物保持部材を、個別に洗浄することができ、常時清潔な状態で使用することができる。
【００２３】
さらにまた、本発明においては、滑り止め手段が付された装飾物保持部材を介して、装飾物を本体に装着することにより、当該装飾物が容易に離脱して使用を阻害してしまう事態を確実に回避することができる。
【発明を実施するための最良の形態】
【００２４】
以下、本発明を適用した具体的な実施の形態について図面を参照しながら詳細に説明する。
【００２５】
この実施の形態は、日常生活において使用される日用品である。この日用品は、人形等の装飾物を着脱自在に装着することが可能とされるものであり、積極的に購買及び使用を促進させることができるものである。
【００２６】
まずここでは、日用品の具体例として、本発明を飲料の摂取に供される食器としてのマグカップに適用した場合について説明する。
【００２７】
図１に分解斜視図を示すように、マグカップ１は、飲料を収容するマグカップ本体１１と、人形等の所定の装飾物１２と、この装飾物１２を保持する装飾物保持部材１３とを備える。
【００２８】
マグカップ本体１１は、例えば、陶磁器、ガラス、金属、プラスチック、若しくは木を材料とし、又はこれら材料の組み合わせとして構成される。マグカップ本体１１は、その外観を形成する外面であって飲料を収容する容器外面の一部に、装飾物１２を着脱自在とするとともに当該装飾物１２を外部に露呈させた状態で装着する凹状の装飾物収納部１４が形成されて構成される。具体的には、装飾物収納部１４は、図２にマグカップ本体１１の正面図を示すように、当該マグカップ本体１１の外面から半楕円状の開口が臨むように形成され、図３にマグカップ本体１１の平面図、及び図４に図２中Ａ−Ａ線で切断したときの側断面図を示すように、この開口から容器内部に向かって所定の深さだけ穿設された箱体として構成される。ここで、装飾物収納部１４は、箱体の水平方向の幅が一定に形成されている。これにより、マグカップ本体１１は、飲料を収容する容器内部の体積が必要以上に少なくなることを防止することができ、飲料の収容量を十分に確保することができる。また、装飾物収納部１４には、箱体を形成する右側面から左側面まで奥面を介して略コ字状に連続した１本の溝部１５が形成されている。装飾物収納部１４においては、この溝部１５に、装飾物１２を保持する装飾物保持部材１３が着脱自在に挿嵌されることにより、装飾物保持部材１３が装着される。したがって、溝部１５は、マグカップ本体１１に装飾物１２を装着するのに適した位置に形成される。
【００２９】
装飾物１２は、例えば、人形、動物、自動車といった所定の造形物を模写したマスコットであり、単独商材としても流通可能なものである。装飾物１２は、マグカップ本体１１に形成された装飾物収納部１４に収納可能な大きさに形成され、装飾物保持部材１３に着脱可能とされる。
【００３０】
装飾物保持部材１３は、装飾物１２を装着して保持する部材である。具体的には、装飾物保持部材１３は、図５に平面図を示すように、マグカップ本体１１の装飾物収納部１４に形成された溝部１５に嵌合するように略コ字状に形成されるとともに、略コ字状に屈曲された内周面によって形成される装飾物保持部１６によって装飾物１２を保持するように形成されている。ここで、装飾物保持部材１３は、装着された装飾物１２が容易に離脱しないように、当該装飾物１２を固設する滑り止め手段を有するものが望ましい。この滑り止め手段としては、略コ字状の装飾物保持部材１３における両先端部１７を内側方向に屈曲して突起部を形成したり、装飾物保持部材１３を表面の摩擦係数が大きいシリコン製としたりすることが考えられる。このような装飾物保持部材１３は、装飾物１２を保持する装飾物保持部１６が正面に向くように、略コ字状の外周面をマグカップ本体１１の装飾物収納部１４に形成された溝部１５に挿嵌させることにより、当該装飾物収納部１４に着脱自在に装着される。
【００３１】
このようなマグカップ本体１１、装飾物１２、及び装飾物保持部材１３を備えるマグカップ１は、使用者が飲料を摂取すべく使用する際に、マグカップ本体１１の装飾物収納部１４に形成された溝部１５に、装飾物保持部材１３を挿嵌し、当該装飾物保持部材１３における装飾物保持部１６に装飾物１２を装着して保持させることにより、例えば図６に示すように、装飾物１２を外部に露呈させた状態とされ、使用者が装飾物１２を視認可能な状態で供される。
【００３２】
このように、マグカップ１は、マグカップ本体１１に立体的な装飾物１２を着脱自在に装着することにより、特に、年齢層が低い使用者にとって、飲食の際に飽きを生じさせることなく飲料を摂取することが可能となり、食育に適した商材として提供することができる。したがって、マグカップ１は、極めて簡便な構成でありながらも、長期間恒常的に使用する主商材として高い付加価値を提供することができ、その購買意欲の向上のみならず積極的に使用を促進させることができる。
【００３３】
また、マグカップ１においては、装飾物１２そのものを単独商材として利用可能な玩具として取り扱うことができることから、使用者が嗜好に応じてマグカップ本体１１から当該装飾物１２を取り外して遊戯に用いることができ、さらには、装飾物収納部１４に収納し得る大きさである他の装飾物と自在に交換することができ、高い娯楽性を提供することができる。
【００３４】
さらに、マグカップ１は、飲料の摂取に用いられるものであり、その用途から衛生面を確保する必要があるが、マグカップ本体１１と装飾物１２のみならず、装飾物保持部材１３も着脱可能に構成されていることから、これらマグカップ本体１１、装飾物１２、及び装飾物保持部材１３を、個別に洗浄することができ、常時清潔な状態で使用することができる。
【００３５】
さらにまた、マグカップ１は、使用の際の安全面についても考慮する必要があるが、滑り止め手段が付された装飾物保持部材１３を介して、装飾物１２をマグカップ本体１１に装着することにより、当該装飾物１２が容易に離脱して飲料の摂取を阻害してしまう事態を確実に回避することができる。
【００３６】
つぎに、日用品の他の具体例として、本発明を食物の摂取に供される食卓用皿に適用した場合について説明する。
【００３７】
図７に分解斜視図を示すように、食卓用皿２は、食物を収容する皿本体２１と、人形等の所定の装飾物２２と、この装飾物２２を保持する装飾物保持部材２３とを備える。
【００３８】
皿本体２１は、上述したマグカップ１と同様に、陶磁器等を材料として構成される。皿本体２１は、その外観を形成する外面であって外枠襟部２６の外面の一部に、装飾物２２を着脱自在とするとともに当該装飾物２２を外枠襟部２６に対して垂直な状態で外部に露呈させて装着する凹状の装飾物収納部２４が形成されて構成される。具体的には、装飾物収納部２４は、図８に皿本体２１の平面図を示すように、外枠襟部２６の表面から矩形状の開口が臨むように形成され、図９に図８中Ａ−Ａ線で切断したときの側断面図を示すように、この開口から外枠襟部２６の裏面に向かって所定の深さだけ穿設された箱体として構成される。この装飾物収納部２４には、装飾物２２を保持する装飾物保持部材２３が着脱自在に嵌合されることにより、装飾物保持部材２３が装着される。
【００３９】
装飾物２２は、上述した装飾物１２と同様に、単独商材としても流通可能なマスコットとして構成される。装飾物２２は、皿本体２１に形成された装飾物収納部２４に嵌合される装飾物保持部材２３に着脱可能とされる。
【００４０】
装飾物保持部材２３は、装飾物２２を装着して保持する部材である。具体的には、装飾物保持部材２３は、図１０に平面図を示すように、皿本体２１に形成された装飾物収納部２４に嵌合するように矩形状に形成されるとともに、２つの孔として穿設された１対の装飾物保持部２５によって装飾物２２を保持するように形成されている。この装飾物保持部材２３は、上述した装飾物保持部材１３と同様に、装飾物２２を固設する滑り止め手段を有するものが望ましく、シリコン製とするのが望ましい。また、装飾物保持部材２３は、皿本体２１に形成された装飾物収納部２４から容易に離脱しないように、その主面が、当該装飾物収納部２４の主面よりも若干大きく形成されている。このような装飾物保持部材２３は、皿本体２１に形成された装飾物収納部２４に嵌合されることにより、当該装飾物収納部２４に着脱自在に装着される。
【００４１】
このような皿本体２１、装飾物２２、及び装飾物保持部材２３を備える食卓皿２は、使用者が食物を摂取すべく使用する際に、皿本体２１に形成された装飾物収納部２４に装飾物保持部材２３を嵌合させ、当該装飾物保持部材２３に形成された装飾物設置部２５に装飾物２２を装着して保持させることにより、例えば図１１に示すように、装飾物２２を皿本体２１の外枠襟部２６に垂直状態に固設することで外部に露呈させた状態とされ、使用者が装飾物２２と対面するような状態で供される。
【００４２】
このように、本発明にかかる日用品は、食卓用皿にも適用することができ、この場合にも、上述したマグカップ１と同様の効果を得ることができる。
【００４３】
なお、本発明は、上述した実施の形態に限定されるものではない。例えば、上述した実施の形態では、マグカップ及び食卓用皿に適用した場合について説明したが、本発明は、コップ等のその他の食器類、灰皿等の喫煙用具、花瓶等の花器、コンピュータ本体、コンピュータに用いるマウスやキーボード、マウスパッド等の各種コンピュータ周辺機器といったように、所定の外観を形成する外面を有する日用品であれば任意の日用品に容易に適用することができる。
【００４４】
また、上述した実施の形態では、１つの装飾物収納部を設けるものとして説明したが、本発明は、かかる装飾物収納部を外面に複数形成し、複数の装飾物を装着可能としてもよい。
【００４５】
さらに、上述した実施の形態では、装飾物収納部の形状が半楕円状又は矩形状の開口が臨む箱体であるものとして説明したが、本発明は、任意の形状に形成してもよい。
【００４６】
このように、本発明は、その趣旨を逸脱しない範囲で適宜変更が可能であることはいうまでもない。
【図面の簡単な説明】
【００４７】
【図１】本発明の実施の形態として示すマグカップの構成を説明する分解斜視図である。
【図２】同マグカップを構成するマグカップ本体の正面図である。
【図３】マグカップ本体の平面図である。
【図４】図２中Ａ−Ａ線で切断したときのマグカップ本体の側断面図である。
【図５】同マグカップを構成する装飾物保持部材の平面図である。
【図６】同マグカップの正面図である。
【図７】本発明の他の実施の形態として示す食卓用皿の構成を説明する分解斜視図である。
【図８】同食卓用皿を構成する皿本体の平面図である。
【図９】図８中Ａ−Ａ線で切断したときの皿本体の側断面図である。
【図１０】同食卓用皿を構成する装飾物保持部材の平面図である。
【図１１】同食卓用皿の正面図である。
【符号の説明】
【００４８】
１  マグカップ
２  食卓用皿
１１  マグカップ本体
１２，２２  装飾物
１３，２３  装飾物保持部材
１４，２４  装飾物収納部
１５  溝部
１６，２５  装飾物保持部
１７  先端部
２１  皿本体
２６  外枠襟部
【図１】
2005319016.tif 000003
【図２】
2005319016.tif 000004
【図３】
2005319016.tif 000005
【図４】
2005319016.tif 000006
【図５】
2005319016.tif 000007
【図６】
2005319016.tif 000008
【図７】
2005319016.tif 000009
【図８】
2005319016.tif 000010
【図９】
2005319016.tif 000011
【図１０】
2005319016.tif 000012
【図１１】
2005319016.tif 000013